(57)【要約】【課題】渦巻状蛍光ランプを用いて、照明器具の大型化を招くことなく操作スイッチを設けることができる照明器具を提供する。【解決手段】管状の放電路が長手方向中央部４１１を始点として同一平面に沿って渦巻状に旋回された発光管４１を有する渦巻状蛍光ランプ４０を用いるので、面発光で均一な照明光を得ることができる。また、器具本体２０におけるランプピン４４の延長方向で、かつ発光管４１が位置しない少なくとも一方の箇所に操作スイッチ基板３７１およびこれを覆う操作基板カバー３７２を設けたので、スペースを有効活用でき、器具本体２０の大型化および照明器具１０の大型化を回避できる。【選択図】図３
2011216287.tif 000002
【特許請求の範囲】
【請求項１】
管状の放電路が長手方向中央部を始点として同一平面に沿って渦巻状に旋回された発光管と、前記発光管の両端部にそれぞれ設けられた一対の口金と、前記口金に設けられて前記発光管の旋回軸に対して直交する平面に沿って延びるランプピンと、を備える渦巻状蛍光ランプと、
前記渦巻状蛍光ランプを搭載する器具本体と、を有し、
前記器具本体における前記ランプピンの延長方向で、かつ前記発光管が位置しない少なくとも一方の箇所に前記渦巻状蛍光ランプを点灯させる操作スイッチ基板とこの操作スイッチ基板を覆う操作基板カバーを設けた照明器具。
【請求項２】
請求項１に記載の照明器具において、
前記操作スイッチ基板および前記操作基板カバーの近傍にリモコン受信器を設けた照明器具。
【請求項３】
請求項１または請求項２に記載の照明器具において、
前記操作基板カバーの下面側でかつ外周側に操作スイッチを露出して配置した照明器具。
【発明の詳細な説明】
【技術分野】
【０００１】
本発明は、天井面に取り付けられ、渦巻状蛍光ランプを用いた照明器具に関するものである。
【背景技術】
【０００２】
従来より、天井面に取り付けられ、渦巻状蛍光ランプを用いた照明器具が知られている（例えば特許文献１参照）。
図１５に示すように、特許文献１に記載の照明器具１００は、天井や壁等の壁面１０１に固定して使用するものであり、例えば矩形箱状の器具本体１０２と、器具本体１０２の前面開口を覆う透明あるいは半透明の樹脂等からなるパネル１０３を有している。器具本体１０２の底板１０４には、一方の端部寄りに商用交流電源（図示省略）に接続されている点灯装置１０５等の電気部品が取付けられており、点灯装置１０５等を覆うとともにパネル１０３を取付けるための取付板１０６が設けられている。底板１０４の中央部および他方の端部よりには、渦巻状蛍光ランプ１０７の照明光をパネル１０３側に反射して照明効率を向上させる反射板１０８が設けられており、反射板１０８の上面に、渦巻状蛍光ランプ１０７を装着するための一対のランプソケット１０９，１０９が取付けられている。
【０００３】
従って、渦巻状蛍光ランプ１０７の両端の口金１１１、１１１に設けられているランプピン１１２をランプソケット１０９に取り付けることにより、渦巻状蛍光ランプ１０７を装着する。
これにより、面発光で均一な照明光を得ることができる。
【先行技術文献】
【特許文献】
【０００４】
【特許文献１】特開２００９−１７６６５７号公報（第１図）
【発明の概要】
【発明が解決しようとする課題】
【０００５】
ところで、照明器具に操作スイッチを設ける場合、従来の環形蛍光ランプを用いた照明器具においては、環形蛍光ランプの内側の中央部分にスペースがあるため、この部分に操作スイッチを配置することが行われている。
しかしながら、前述した特許文献１に記載の照明器具のように渦巻状蛍光ランプを用いた照明器具においては、渦巻状蛍光ランプの内側に設置スペースが確保できず、渦巻状蛍光ランプの外側に操作スイッチ用の設置スペースを確保しなければならないため、照明器具の大型化を招くという問題があった。
【０００６】
本発明は、従来の問題を解決するためになされたもので、渦巻状蛍光ランプを用いて、照明器具の大型化を招くことなく操作スイッチを設けることができる照明器具を提供することを目的とする。
【課題を解決するための手段】
【０００７】
本発明の照明器具は、管状の放電路が長手方向中央部を始点として同一平面に沿って渦巻状に旋回された発光管と、発光管の両端部にそれぞれ設けられた一対の口金と、口金に設けられて発光管の旋回軸に対して直交する平面に沿って延びるランプピンと、を備える渦巻状蛍光ランプと、渦巻状蛍光ランプを搭載する器具本体と、を有し、器具本体におけるランプピンの延長方向で、かつ発光管が位置しない少なくとも一方の箇所に渦巻状蛍光ランプを点灯させる操作スイッチ基板とこの操作スイッチ基板を覆う操作基板カバーを設けたものである。
【０００８】
また、本発明の照明器具は、操作スイッチ基板および操作基板カバーの近傍にリモコン受信器を設けたものである。
【０００９】
さらに、本発明の照明器具は、操作基板カバーの下面側でかつ外周側に操作スイッチを露出して配置したものである。
【発明の効果】
【００１０】
本発明は、スペースを有効活用でき、器具本体の大型化および照明器具の大型化を回避できるという効果を有する照明器具を提供できる。
【図面の簡単な説明】
【００１１】
【図１】本発明に係る実施形態の照明器具の全体構成を示す分解斜視図
【図２】本発明に係る実施形態の照明器具の詳細な構成を示す分解斜視図
【図３】器具本体および渦巻状蛍光ランプを斜め下方から見た斜視図
【図４】器具本体と天井面との取付部の構造を示す断面図
【図５】（Ａ）は器具本体と渦巻状蛍光ランプの斜視図，（Ｂ）は遮蔽板を開いた状態の拡大斜視図
【図６】アダプタに電源コネクタを装着した状態を示す拡大斜視図
【図７】ランプソケットの取り付け構造を示す斜視図
【図８】（Ａ）はランプソケットを下方から見た底面図，（Ｂ）は（Ａ）中Ｂ−Ｂ位置の断面図
【図９】リモコン受信器の向きを示す渦巻状蛍光ランプを装着した器具本体の側面図
【図１０】（Ａ）は渦巻状蛍光ランプを支持バネに装着した器具本体を斜め上方から見た斜視図、（Ｂ）は（Ａ）中Ｂ部分の拡大図
【図１１】（Ａ）〜（Ｃ）は渦巻状蛍光ランプを支持バネに取り付ける状態を示す工程図
【図１２】（Ａ）は渦巻状蛍光ランプを別の支持バネに装着した器具本体を斜め上方から見た斜視図、（Ｂ）は（Ａ）中Ｂ部分の拡大図
【図１３】（Ａ）は補助光源の向きを示す渦巻状蛍光ランプを装着した器具本体の側面図、（Ｂ）は（Ａ）中Ｂ方向から見た底面図
【図１４】補助光源および操作スイッチ部の分解斜視図
【図１５】従来の渦巻状蛍光ランプを用いた照明器具の分解斜視図
【発明を実施するための形態】
【００１２】
以下、本発明の実施形態の照明器具について、図面を用いて説明する。
図１に示すように、本発明に係る実施形態の照明器具１０は、被取付部である天井面１１に取り付けて使用することができる。すなわち、照明器具１０は、天井面１１に取り付けられ商用電源（図示省略）に接続されている配線器具としての例えば引っ掛けシーリング１２にアダプタ１３を介して取り付けられる器具本体２０と、器具本体２０に搭載される光源である渦巻状蛍光ランプ４０と、渦巻状蛍光ランプ４０を覆って器具本体２０に着脱可能に装着される透光性の樹脂製のセード５０を有する。
なお、以下の照明器具１０の説明において、「上（面）側」は天井面１１側を示し、「下（面）側」は照射方向を示すこととする。
【００１３】
アダプタ１３は、略円筒形状を呈しており、上面側には引掛シーリング１２の栓刃挿通孔（図示省略）を挿通して引掛栓刃受け部（図示省略）に電気的に接続されて機械的に引掛保持される引掛栓刃部１３１が突設されている（図４参照）。また、アダプタ１３の下面側には、照明器具１０に電力を供給するために、後述する電源コネクタ２９が接続可能なコネクタ挿入孔１３３を有する。なお、アダプタ１３は、後述するホルダ２３を外嵌して押し上げるだけで係止できる係止部（図示省略）を、外周面に有する。
【００１４】
図３に示すように、渦巻状蛍光ランプ４０は、管状の放電路が長手方向中央部４１１を始点すなわち旋回軸ＣＬとして同一平面に沿って２重渦巻状に旋回された発光管４１を有する。発光管４１の中央部４１１は、その他の部分に比して太径となっており、最冷点となっている。発光管４１の両端部にはそれぞれ口金４２、４２が取付けられており、両口金４２は、発光管４１の中央部４１１に対して、点対称の位置に設けられている。両口金４２は、照射方向と反対側（図３中上側）の裏面に設けられたブリッジ４３によって連結されている。また、各口金４２には、発光管４１の旋回軸ＣＬに対して直交する平面に沿って延びる方向に一対のランプピン４４，４４が、一端を発光管４１の軸方向に沿って突出して設けられており、他端は発光管４１の内側端部に設けられているフィラメント（図示省略）に接続されている。
【００１５】
図２に示すように、器具本体２０は、金属製の円板状のベースプレート２１を有しており、ベースプレート２１の上面には、天井面１１に取り付けた際に天井面１１に当接して、振動を吸収するとともに一定の間隔を保持するために、例えばスポンジ２１２等の弾性部材が等間隔で３個以上貼り付けられている（図９および図１０（Ａ）参照）。
ベースプレート２１の中央には下方へ凹んだ凹部２２が設けられていて、凹部２２の中央には開口２２１が設けられている。凹部２２には、アダプタ１３に取り付けることにより、器具本体２０を天井面１１に取り付けるためのホルダ２３が取り付けられる。ホルダ２３は中央に円筒形状のアダプタ取付部２３１を有し、取付部２３１の内面には係止溝（図示省略）が形成されている。また、アダプタ取付部２３１の外側にはベースプレート２１に取り付けるための取付板２３２を有しており、ホルダ２３をベースプレート２１に取り付けた状態で、アダプタ取付部２３１は、開口２２１からベースプレート２１の下方へ突出する。
【００１６】
従って、引っ掛けシーリング１２に取り付けられたアダプタ１３をアダプタ取付部２３１の内部に挿入して、ホルダ２３を押し上げることにより、アダプタ取付部２３１の係止溝がアダプタ１３の係止部に係止されることにより、器具本体２０はアダプタ１３を介して天井面１１に取り付けられる。
【００１７】
ベースプレート２１の下面の外周縁部には、セード５０を着脱可能に装着するためのセード受け具２１１が、周方向に所定間隔で複数個（図３では３個）設けられている（図３参照）。一方、セード５０の外周縁内側には、セード受け具２１１に係止される係止部（図示省略）がセード受け具２１１に対応して所定間隔で複数個設けられている。
従って、セード５０を器具本体２０へ取り付ける際は、セード５０を回転させることにより係止部を器具本体２０のセード受け具２１１に係止して取り付ける。また、セード５０を外す際には、反対方向にセード５０を回転させて、係止部をセード受け具２１１から外す。
【００１８】
ベースプレート２１の下面には、絶縁板２４が設けられており、絶縁板２４を介して点灯装置２５、リモコン受信器２６，制御基板２７等の電気部品がベースプレート２１に取り付けられる。ベースプレート２１の下面には、絶縁板２４および点灯装置２５等の電気部品を内包する本体カバー２８が取り付けられる。本体カバー２８の下面は白色塗装されており、反射板としても機能する。なお、器具本体２０という場合には、ベースプレート２１から本体カバー２８までを含んだものを意味する（図２参照）。
【００１９】
図３および図５に示すように、本体カバー２８の中央すなわち器具本体２０における渦巻状蛍光ランプ４０の中央部４１１の真上には、電源コネクタ２９の着脱等の作業用の開口２８１が設けられており、開口２８１には遮蔽板３１が設けられている。遮蔽板３１は例えば略長円形状をしており、対向する長辺の一方の長辺３１１は、回動軸３１２によって本体カバー２８に開閉可能に取り付けられる。また、他方の長辺３１３側には、ロック穴３１４を有するロック部３１５が、外側へ突出して設けられている。一方、本体カバー２８において開口２８１を挟んで回動軸３１２の反対側には、ラッチ３２が回転可能に設けられている。
従って、遮蔽板３１を閉じて、ラッチ３２をロック穴３１４に貫通させた後に、ラッチ３２を回転させることにより、遮蔽板３１は閉じた状態でロックされる。
【００２０】
また、図３に示すように、遮蔽板３１の下面には、渦巻状蛍光ランプ４０の一対の口金４２，４２を連結するブリッジ４３を保持する保持部３１６が設けられている。保持部３１６は、下方が開口した断面コ字状の直線部材であり、渦巻状蛍光ランプ４０のブリッジ４３が嵌合する大きさの開口を有する。また、渦巻状蛍光ランプ４０を器具本体２０に装着した際のブリッジ４３の位置および方向に対応して設けられている。
【００２１】
図４乃至図６に示すように、遮蔽板３１はアダプタ１３の下方に位置しており、遮蔽板３１を開けることにより、電源コネクタ２９をアダプタ１３に対して着脱可能となっている。電源コネクタ２９は、矩形箱状の本体２９１と、本体２９１に直交する接続端子部２９２と、この接続端子部２９２に一端が接続されたリード線２９３を有する。接続端子部２９２は、アダプタ１３のコネクタ挿入孔１３３に挿入されて、引掛栓刃部１３１と電気的に接続されている電源端子１３２に接触する。リード線２９３は、電源コネクタ２９の本体２９１から天井面１１と平行に引き出され、ベースプレート２１と本体カバー２８との間に配線されて、他端が点灯装置２５に接続される。
【００２２】
従って、電源コネクタ２９を、引っ掛けシーリング１２に取り付けられたアダプタ１３に接続することにより、引掛栓刃部１３１、電源端子１３２、接続端子部２９２およびリード線２９３を介して、点灯装置２５に電力が供給される。なお、電源コネクタ２９にはロック部２９４が設けられており、接続端子部２９２をコネクタ挿入孔１３３に挿入した状態で、電源コネクタ２９がアダプタ１３から脱落しないように、ロック可能となっている。
【００２３】
図３に示すように、器具本体２０の下面である本体カバー２８の下面には、器具本体２０の中心に対して対称の位置に一対のランプソケット台３４、３４が取り付けられている。各ランプソケット台３４には、ランプピン４４を接続することにより渦巻状蛍光ランプ４０を器具本体２０に装着するためのランプソケット３３がそれぞれ設けられる。従って、一対のランプソケット３３、３３は、器具本体２０の中心に対して対称の位置に設けられる。
【００２４】
図７および図８に示すように、ランプソケット３３は、ランプピン４４を装着するソケット本体３３１と、ソケット本体３３１を本体カバー２８から所定高さ持ち上げるための台部３３２を有する。ソケット本体３３１の下頂部には、ランプピン４４を挿入する挿入口３３３が設けられており、さらに装着した渦巻状蛍光ランプ４０のランプピン４４の脱落を防止する蓋３３４が開閉可能に設けられている。
【００２５】
台部３３２の上端部には平坦なネジ止め部３３５を有しており、ネジ止め部３３５にはネジ穴３３６が設けられている。また、台部３３２の上端部には、引掛け用爪３３７が上方および渦巻状蛍光ランプ４０側に向かって突出して設けられているが、引掛け用爪３３７は、ソケット本体３３１の前面３３１Ａから渦巻状蛍光ランプ４０側に突出していない（図８（Ｂ）の２点鎖線参照）。すなわち、ネジ止め部３３５および引掛け用爪３３７は、ランプソケット３３の投影面内（図７中点線で表示）に設けられている。さらに、ネジ止め部３３５と引掛け用爪３３７とは、ランプソケット３３の投影面内において対角位置に設けられている（図８（Ａ）参照）。
【００２６】
一方、ランプソケット３３が取り付けられる器具本体側であるランプソケット台３４には、引掛け用爪３３７を引っ掛ける係止部である矩形の係止穴３４１と、ネジ止め部３３５をネジ止めするネジ止め位置であるネジ穴３４２が設けられている。ここでは、１個の係止穴３４１と１個のネジ穴３４２とで一組であり、これが複数組（ここでは、２組）設けられている。
従って、ランプソケット３３を器具本体２０に取り付ける際には、まず、ランプソケット３３を斜めにして引掛け用爪３３７をランプソケット台３４の係止穴３４１に挿入して引掛け、ランプソケット３３をまっすぐにして、ネジ３３８をネジ穴３３６に通してネジ穴３４２に締結する。
【００２７】
図９および図１０に示すように、ランプソケット台３４の外側面３４３には、リモコン受信器２６が取り付けられており、リモコン受信器２６は受信器カバー２６１で覆われている。ランプソケット台３４の外側面３４３は器具本体２０の外側下方へ向けて傾斜されており、この外側面３４３に取り付けることにより、リモコン受信器２６は下方外向き（図９中矢印Ａ参照）に取り付けられる。なお、リモコン受信器２６は、渦巻状蛍光ランプ４０よりも天井面１１側に配置されており、渦巻状蛍光ランプ４０の光を遮らないようにしている（図９中矢印Ｂ参照）。
【００２８】
図１０および図１１に示すように、ランプソケット３３の渦巻状蛍光ランプ４０側の近傍には、渦巻状蛍光ランプ４０の一対の口金４２を保持する一対の支持バネ３５が設けられている。支持バネ３５は、口金４２を保持する保持バネ部３５１と、口金４２に近接して渦巻状蛍光ランプ４０の旋回軸ＣＬ回りの回転を規制する回転規制片３５２と、本体カバー２８に取り付けるための基礎部３５３とを一体的に有する。
【００２９】
保持バネ部３５１は口金４２の外周面に対応して円弧状に屈曲され、下端部は外側に屈曲されて導入部３５１Ａが形成されている。保持バネ部３５１は、そのバネ力により内側に付勢されており、口金４２を弾性保持する。また、回転規制片３５２は発光管４１の外周面に対応して円弧状に屈曲され、下端部は外側に屈曲されて導入部３５２Ａが形成されている。回転規制片３５２は、そのバネ力により内側に付勢されており、発光管４１を弾性保持する。
【００３０】
保持バネ部３５１の導入部３５１Ａは、回転規制片３５２の導入部３５２Ａよりも下方に位置する。
従って、渦巻状蛍光ランプ４０を器具本体２０に装着する際には、図１１（Ａ）に示すように、渦巻状蛍光ランプ４０のランプピン４４をランプソケット３３の挿入口３３３（図７参照）の位置に合わせて、渦巻状蛍光ランプ４０を器具本体２０に接近させる。図１１（Ｂ）に示すように、まず、保持バネ部３５１の導入部３５１Ａが口金４２に接触し、保持バネ部３５１を外側へ拡げる。さらに、渦巻状蛍光ランプ４０を器具本体２０側へ移動させると、回転規制片３５２の導入部３５２Ａが発光管４１に接触し、回転規制片３５２を外側へ拡げる。そして、図１１（Ｃ）に示すように、保持バネ部３５１が口金４２を保持し、回転規制片３５２が発光管４１を保持する。
【００３１】
なお、支持バネ３５Ｂとして、図１２（Ａ）および（Ｂ）に示すように、渦巻状蛍光ランプ４０のブリッジ４３に当接して渦巻状蛍光ランプ４０の回転を規制する回転規制片３５４を設けることもできる。なお、保持バネ部３５１は、前述した支持バネ３５のものと同様である。
【００３２】
図１３に示すように、器具本体２０におけるランプピン４４の延長方向で、かつ発光管４１が位置しない少なくとも一方の箇所、すなわちランプソケット３３に対して渦巻状蛍光ランプ４０の口金４２と反対側には、補助光源部３６が設けられている。図１４に示すように、補助光源部３６は、例えばＬＥＤ等の補助光源３６１，補助光源３６１を搭載した基板３６２および基板３６２を覆う補助光源カバー３６３を有する。基板３６２は矩形板状を呈しており、補助光源カバー３６３は上部が開口した矩形箱状を呈している。補助光源カバー３６３の下面３６４における補助光源３６１に対応する位置には、補助光源３６１からの光が渦巻状蛍光ランプ４０に入射しないように、先端に発光部３６５を有する例えば筒状の遮光部材３６６が設けられており、補助光源３６１は遮光部材３６６の内部に挿入される。
なお、遮光部材としては、上述した筒状部材に限らず、壁状部材で仕切るようにすることもできる。
【００３３】
図１３および図１４に示すように、器具本体２０におけるランプピン４４の延長方向で、かつ発光管４１が位置しない少なくとも一方の箇所、すなわちランプソケット３３に対して渦巻状蛍光ランプ４０の口金４２と反対側には、操作スイッチ部３７が設けられている。ここでは、前述した補助光源部３６を設ける位置と同じ位置に操作スイッチ部３７を設けることができるので、補助光源部３６に操作スイッチ部３７を一体的に設けた場合を示す。また、操作スイッチ部３７はランプソケット３３の近傍に設けられており、ランプソケット３３が設けられているランプソケット台３４にはリモコン受信器２６が設けられているので、操作スイッチ部３７はリモコン受信器２６の近傍に配置されることになる。
【００３４】
操作スイッチ部３７は渦巻状蛍光ランプ４０を点灯させるものであり、操作スイッチ基板３７１とこの操作スイッチ基板３７１を覆う操作基板カバー３７２を有する。操作スイッチ基板３７１には複数個の操作スイッチとしてのスイッチつまみ３７３が搭載されており、操作スイッチ基板３７１における外周側（渦巻状蛍光ランプ４０から遠い側）に並んで設けられている。スイッチつまみ３７３の先端は、操作基板カバー３７２に設けられている切欠き３７４から下方に露出している。すなわち、スイッチつまみ３７３の先端は、切欠き３７４から下方に突出しているか、あるいは、突出はしていないが切欠き３７４の内部に見えている。
【００３５】
次に、照明器具１０を天井面１１に取り付ける動作について説明する。
まず、天井面１１に取り付けられている引っ掛けシーリング１２に、アダプタ１３を取り付ける。次に、渦巻状蛍光ランプ４０を装着していない器具本体２０の中央のホルダ２３をアダプタ１３に外嵌する。このとき、遮蔽板３１を開けて、内部を見ながらアダプタ１３を装着する。次いで、電源コネクタ２９をアダプタ１３のコネクタ挿入孔１３３に挿入して、点灯装置２５を電源に接続する。接続がすんだら、遮蔽板３１を閉じ、ラッチ３２を回して遮蔽板３１を固定する。
【００３６】
次に、渦巻状蛍光ランプ４０のランプピン４４をランプソケット３３の挿入口３３３の下方位置に合わせ、渦巻状蛍光ランプ４０を押し上げて、ランプピン４４をランプソケット３３に挿嵌する。このとき、まず、保持バネ部３５１の導入部３５１Ａが口金４２に接触し、保持バネ部３５１を外側へ拡げる。さらに、渦巻状蛍光ランプ４０を器具本体２０側へ移動させると、回転規制片３５２の導入部３５２Ａが発光管４１に接触し、回転規制片３５２を外側へ拡げる。そして、保持バネ部３５１が口金４２を保持し、回転規制片３５２が発光管４１を保持する。そして、電気的に接続した後、蓋３３４を閉じる。
最後に、セード５０を器具本体２０に合わせて回転させ、セード５０に設けられている係止部（図示省略）を、器具本体２０のセード受け具２１１に係止して取り付ける。
【００３７】
また、管状の放電路が長手方向中央部４１１を始点として同一平面に沿って渦巻状に旋回された発光管４１を有する渦巻状蛍光ランプ４０を用いるので、面発光で均一な照明光を得ることができる。また、器具本体２０におけるランプピン４４の延長方向で、かつ発光管４１が位置しない少なくとも一方の箇所に操作スイッチ基板３７１およびこれを覆う操作基板カバー３７２を設けたので、スペースを有効活用でき、器具本体２０の大型化および照明器具１０の大型化を回避できる。
【００３８】
また、操作スイッチ基板３７１および操作基板カバー３７２をリモコン受信器２６の近傍に配置して、渦巻状蛍光ランプ４０の光を遮るものをまとめたので、影になる部分を減らすことができる。
【００３９】
また、操作基板カバー３７２の下面側でかつ外周側にスイッチつまみ３７３を露出して配置したので、手が渦巻状蛍光ランプ４０に触れにくくなり、操作性が向上する。なお、露出して配置したとは、スイッチつまみ３７３の先端が操作基板カバー３７２の下面から突出する場合、および突出はしないが、切欠き３７４を介して露出する場合も含む。
【００４０】
また、天井面１１に設置された引っ掛けシーリング１２に、引掛栓刃部１３１を係止してアダプタ１３を電気的および機械的に取り付け、このアダプタ１３を介して器具本体２０を取り付けるので、一般ユーザが容易に取り付けることができる。
【００４１】
また、渦巻状蛍光ランプ４０から発する紫外線が、他のランプに比して中央に集中するが、渦巻状蛍光ランプ４０とアダプタ１３の間の器具本体中央部に、遮蔽板３１を設けたので、アダプタ１３、電源コネクタ２９等の部品の紫外線劣化による商品不良を防止できる。
【００４２】
また、渦巻状蛍光ランプ４０の一対の口金４２を連結するブリッジ４３に対して、従来は回転防止用のガイドを別部品で設けていたが、遮蔽板３１にブリッジ４３を保持する保持部３１６を設けたので、部品点数を削減できる。
【００４３】
また、遮蔽板３１は外れないので、遮蔽板３１の取り付けを忘れて渦巻状蛍光ランプ４０を取り付けるのを防止でき、アダプタ１３、電源コネクタ２９等の部品の紫外線劣化を確実に防止できる。また、遮蔽板３１の落下を、確実に防止できる。
【００４４】
また、アダプタ１３に係合し、引っ掛けシーリング１２から引き出すリード線２９３が天井面１１に平行に引き出される電源コネクタ２９を用いたので、電源コネクタ２９と遮蔽板３１の空間距離を小さくでき、照明器具１０の薄型化を図れる。
【００４５】
また、器具本体２０におけるランプピン４４の延長方向で、かつ発光管４１が位置しない少なくとも一方の箇所に補助光源部３６を設けたので、スペースを有効活用でき、器具本体２０の大型化および照明器具１０の大型化を回避できる。
【００４６】
また、補助光源部３６からの光が渦巻状蛍光ランプ４０へ照射されるのを防止する例えば筒形状や壁形状をした遮光部材３６６を設けたので、補助光源部３６からの光が均一にセード５０に照射されて、光のムラをなくし、きれいな発光ができる。
【００４７】
また、ランプソケット３３の近傍は最も渦巻状蛍光ランプ４０のノイズを受けにくい場所であり、ランプソケット３３の外側面にリモコン受信器２６を配置したので、リモコンの性能アップを図れる。さらに、ランプソケット３３にリモコン受信器２６を配置したので、リモコン受信器２６によって生じる影の範囲を小さくすることができる。
【００４８】
また、リモコン受信器２６を器具本体２０の外側下方へ向けて傾斜させてランプソケット３３の外側面に取り付けたので、渦巻状蛍光ランプ４０からのノイズをさらに受けにくくでき、リモコンの性能アップを図れる。
【００４９】
また、リモコン受信器２６を渦巻状蛍光ランプ４０よりも天井面１１側に配置したので、渦巻状蛍光ランプ４０からの光を遮るのを減少させて、影になる部分を減少させることができる。
【００５０】
また、支持バネ３５において、口金４２を保持する保持バネ部３５１に渦巻状蛍光ランプ４０を回転規制する回転規制片３５２を一体化したので、渦巻状蛍光ランプ４０の回転の起点となる部位を規制することになり、効率よく渦巻状蛍光ランプ４０の回転を規制できるとともに、部品点数を減少できる。
【００５１】
また、回転規制片３５２にも弾性を持たせることにより、渦巻状蛍光ランプ４０の発光管４１を支持することができ、回転規制性能を向上させて、安全性を向上できる。
【００５２】
また、渦巻状蛍光ランプ４０を装着する時に、保持バネ部３５１が口金４２に接触した後に、回転規制片３５２が発光管４１に接触するので、ユーザが誤って回転規制片３５２に口金４２を嵌めるのを防止でき、渦巻状蛍光ランプ４０の保持バネ３５への誤装着を防止して安全性向上を図れる。
【００５３】
また、ランプソケット３３は、引掛け用爪３３７とネジ止め部３３５を有しており、引掛け用爪３３７を引っ掛けて、ネジ止め部３３５をネジ止めして取り付けるので、ランプソケット３３側から取り付けることができる。このため、ランプソケット３３を取り付ける際に、器具本体２０を裏返す必要がなく、作業効率が改善される。また、ランプソケット３３の投影面内に引掛け用爪３３７とネジ止め部３３５を有するので、ランプソケット３３をコンパクト化でき、ランプソケット３３による影を低減できる。
【００５４】
また、ネジ止め部を、ランプソケットの投影面内における引掛け用爪の位置に対して対角位置に設けたので、ランプソケットを強固に取り付けることができる。
【００５５】
また、引掛け用爪３３７を引っ掛ける係止穴３４１と、ネジ止め部３３５をネジ止めするネジ穴３４２とを、ランプソケット台３４に複数組設けたので、同じ器具本体を用いて、異なるサイズの渦巻状蛍光ランプを装着することができ、部品の共有化によるコストダウンおよび生産性向上を図ることができる。
【００５６】
なお、本発明の照明器具は、前述した実施形態に限定されるものでなく、適宜な変形，改良等が可能である。
【符号の説明】
【００５７】
１０  照明器具
２０  器具本体
２６  リモコン受信器
３７１  操作スイッチ基板
３７２  操作基板カバー
３７３  スイッチつまみ（操作スイッチ）
４０  渦巻状蛍光ランプ
４１  発光管
４１１  中央部
４２  口金
４４  ランプピン
ＣＬ  旋回軸
【図１】
2011216287.tif 000003
【図２】
2011216287.tif 000004
【図３】
2011216287.tif 000005
【図４】
2011216287.tif 000006
【図５】
2011216287.tif 000007
【図６】
2011216287.tif 000008
【図７】
2011216287.tif 000009
【図８】
2011216287.tif 000010
【図９】
2011216287.tif 000011
【図１０】
2011216287.tif 000012
【図１１】
2011216287.tif 000013
【図１２】
2011216287.tif 000014
【図１３】
2011216287.tif 000015
【図１４】
2011216287.tif 000016
【図１５】
2011216287.tif 000017